(57)【要約】【課題】  厳寒期における暖房能力がすぐれた空気調和機の制御方法を提供する。【解決手段】  インバ−タ制御方式の空気調和機（図示せず）の運転電流が過電流保護機能の動作電流値に達したときに同空気調和機の圧縮機４の運転周波数を所定値だけ下降し、運転電流が前記過電流保護機能の解除電流値に達した時には前記運転周波数を所定値だけ上昇して過電流を防止する空気調和機の制御方法において、外気温度が低くなるにつれて、上記動作電流値と解除電流値を高く設定して、厳寒期の暖房運転時にも高い入力電流で運転できるようにした。【選択図】  図１ 
2005061736.tif 000002
【特許請求の範囲】
【請求項１】
インバ−タ制御方式の空気調和機の運転電流が過電流保護機能の動作電流値に達したときに同空気調和機の圧縮機の運転周波数を所定値だけ下降し、前記運転電流が前記過電流保護機能の解除電流値に達した時には前記運転周波数を所定値だけ上昇して過電流を防止する空気調和機の制御方法において、前記動作電流値と前記解除電流値を外気温度に応じて変化させることを特徴とする空気調和機の制御方法。
【請求項２】
室外機に内蔵された熱交換器の温度に応じて、前記熱交換器に風を送るファンモ−タの回転数を変化させることを特徴とする請求項１記載の空気調和機の制御方法。
【発明の詳細な説明】
【技術分野】
【０００１】
本発明は、空気調和機の制御方法に関するもので、特に過電流を防止する空気調和機の制御方法に関するものである。
【背景技術】
【０００２】
従来のインバータ制御方式の空気調和機は、運転電流が過電流保護機能の動作電流値に達したときは、同空気調和機の圧縮機の運転周波数を所定値だけ下げ、この周波数降下によって運転電流が過電流保護機能の解除電流値に達したときには運転周波数を所定値だけ上げるのが一般的であった。
【０００３】
しかし、厳寒期における暖房運転時にあっては、少しでも大きい暖房能力を必要とするにもかかわらず、過電流保護機能がなかなか解除されず、無駄な運転が行われ、暖房能力が小さくなってしまうという問題があった。
【０００４】
この問題を解決するために、過電流保護機能の解除電流値を圧縮機の運転周波数に応じて設定するようにし、運転周波数が高いほど解除電流値を大きく設定するようにしていた（例えば、特許文献１参照）。
【特許文献１】特開平６−２４９４８８号公報
【発明の開示】
【発明が解決しようとする課題】
【０００５】
しかしながら上記従来の技術では、外気温度が低下すると電装部品の温度が低下するため、過電流保護機能の動作電流値を高めに設定することができるにもかかわらず、動作電流値の設定には、外気温度等は一切考慮されておらず、如何なる条件下でも一定値に設定されているため、特に厳寒期における暖房能力が小さくなってしまうという課題があった。
【０００６】
また低外気温度（厳寒期）下で圧縮機の運転周波数のみを高く設定すると室外機の熱交換器（以下蒸発器）の温度が低下し、結果的に蒸発器の着霜が著しく加速され、暖房能力が逆に低下するという課題があった。
【０００７】
本発明は、上記課題を解決し、厳寒期における空気調和機の暖房能力を向上させる空気調和機の制御方法を提供することを目的とするものである。
【課題を解決するための手段】
【０００８】
上記従来の課題を解決するために、本発明の空気調和機の制御方法は、インバ−タ制御方式の空気調和機の運転電流が過電流保護機能の動作電流値に達したときに同空気調和機の圧縮機の運転周波数を所定値だけ下降し、前記運転電流が前記過電流保護機能の解除電流値に達した時には前記運転周波数を所定値だけ上昇して過電流を防止する空気調和機の制御方法において、前記動作電流値と前記解除電流値を外気温度に応じて変化させるもので、外気温度が低くなるにつれて、過電流保護機能の動作電流値と解除電流値を高く設定することにより、特に厳寒期の暖房運転時には高い入力電流で運転でき、大きな暖房能力を得ることができる。
【発明の効果】
【０００９】
本発明の空気調和機の制御方法によれば、厳寒期における空気調和機の暖房能力を向上
させることができる。
【発明を実施するための最良の形態】
【００１０】
第１の発明は、インバ−タ制御方式の空気調和機の運転電流が過電流保護機能の動作電流値に達したときに同空気調和機の圧縮機の運転周波数を所定値だけ下降し、前記運転電流が前記過電流保護機能の解除電流値に達した時には前記運転周波数を所定値だけ上昇して過電流を防止する空気調和機の制御方法において、前記動作電流値と前記解除電流値を外気温度に応じて変化させるもので、外気温度が低くなるにつれて、過電流保護機能の動作電流と解除電流値を高く設定することにより、厳寒期の暖房運転時には高い入力電流で運転でき、大きな暖房能力を得ることができる。
【００１１】
第２の発明は、室外機に内蔵された熱交換器の温度に応じて、前記熱交換器に風を送るファンモ−タの回転数を変化させるようにしたもので、熱交換器の温度が低く着霜が発生しそうな時でも、ファンモータの回転数を増加させることで、熱交換器能力が増加し着霜が回避され厳寒期の暖房運転時にも大きな暖房能力を得ることができる。
【００１２】
以下、本発明の実施の形態について、図面を参照しながら説明する。なお、この実施の形態によって本発明が限定されるものではない。
【００１３】
（実施の形態１）
以下、本発明の第１の実施の形態について、図１〜４を参照しながら説明する。図１は、本実施の形態にかかる空気調和機の制御装置の概略ブロック線図である。
【００１４】
同図に示すように、空気調和機は、当該空気調和機の入力電流（運転電流）を検出する入力電流検出回路１と、室外機（図示せず）に取り付けられ外気温度を検出する外気温度検出回路２と、前記室外機に収納されている熱交換器（図示せず）に取り付けられ、前記熱交換器の温度を検出する熱交換器温度検出回路３と、インバータ制御される圧縮機４と、前記熱交換器に風を送るとともに回転数制御されるファンモータ５と、制御装置６を備えている。
【００１５】
制御装置６は、入力電流検出回路１により検出された入力電流値および外気温度検出回路２により検出された外気温度に基づいて、圧縮機４の運転周波数を可変するとともに、ファンモータ５の回転数を熱交換器温度検出回路３により検出された熱交換器の温度に基づいて可変し、さらに入力電流による電装部品（図示せず）の過昇を防止する保護機能を備えている。
【００１６】
上記制御装置６は、圧縮機４の動作電流値Ａ１および解除電流値Ａ２を演算設定する圧縮機制御部６Ａとファンモータ５の回転数を演算設定するファンモータ制御部６Ｂを備えている。
【００１７】
次に、圧縮機４の動作電流値Ａ１および解除電流値Ａ２の設定について、図２により説明する。
【００１８】
従来、動作電流値Ａ１は、入力電流による電装部品の過昇を防止することを目的に、最も電装部品の温度が高くなる環境条件（たとえば、暖房過負荷運転条件：外気温度２４度）で電装部品の温度が基準値以下になるよう設定されている。
【００１９】
しかしながら、電装部品の温度は、入力電流と使用環境温度によって変化し、入力電流が低下するか、または使用環境温度が低下すると低くなる。したがって、圧縮機制御部６Ａより、動作電流値Ａ１を電装部品の温度が基準値で一定となるように、また解除電流値
Ａ２も動作電流値Ａ１と同様に一定となるよう外気温度Ｔ１により演算設定する。
【００２０】
具体的には、電装部品の温度を一定とすると、外気温度が約１０度低下すると入力電流は７％程度高めに設定できる。
【００２１】
次に、ファンモータ５の回転数の設定について、図３により説明する。熱交換器温度検出回路３によって検出された熱交換器の温度が０度以下になると、熱交換器により凝縮発生した水分が熱交換器表面で霜から氷と成長するため、熱交換器の温度が０度以下になった場合、ファンモータ５の回転数を所定値分（例えば、５０ｒｐｍ）増加させ、熱交換器の能力を向上させ、熱交換器の温度を霜や氷が発生しない温度へ上昇させる。
【００２２】
次に、上記構成による空気調和機の制御方法について、図４のフローチャートにより説明する。
【００２３】
まず、空気調和機の制御装置６にて、圧縮機４とファンモータ４のそれぞれが所定の回転周波数および回転数に設定される。
【００２４】
このとき、制御装置６においては、熱交換器温度検出回路３からの温度信号により熱交換器の温度が算出され、それが０度以上であるか否か判定される（ステップ１（ＳＴ１））。このとき熱交換器温度が０度未満の場合は、熱交換器の表面に霜や氷が発生する温度であるため、ファンモータ４の回転数を標準値（所定値）プラス５０ｒｐｍ、また０度以上の場合は標準値がファンモータの回転数として設定される（ステップ２（ＳＴ２））。
【００２５】
次に外気温度検出回路２からの温度信号により外気温度が算出され、この外気温度により、圧縮機制御部６Ａによって演算され、前記動作電流値Ａ１および解除電流値Ａ２が設定される（ステップ３（ＳＴ３））。
【００２６】
ここで、動作電流値Ａ１は電装部品の温度が基準値で一定となるよう設定されているため、外気温度が低くなればなるほど、高い電流値に設定されている。そこで、入力電流検出回路１からの電流検出信号により当該入力電流の値（運転電流）が算出され、この算出入力電流値が前記動作電流値Ａ１以上であるか否か判断される（ステップ４（ＳＴ４））。入力電流値が動作電流値Ａ１に達しているときには、入力電流の過昇を防止するため、保護機能が動作し、圧縮機４の運転周波数を所定値（たとえば１Ｈｚ）だけ下げる（ステップ５（ＳＴ５））。
【００２７】
この運転周波数の降下により、空気調和機の運転電流が下がることになるが、同運転電流が解除電流値Ａ２を下回らず（ステップ６（ＳＴ６））、しかも動作電流値Ａ１以下である場合には、１Ｈｚだけ降下した運転周波数で圧縮機４が運転される（ステップ７（ＳＴ７））。また、前記圧縮機４の運転周波数を下げたにもかかわらず、動作電流値Ａ１以下にならない場合にはステップ５（ＳＴ５）に戻って、運転周波数を１Ｈｚだけ降下させて、運転電流を降下させる処理を繰り返し実行する。
【００２８】
続いて、上記圧縮機４の運転周波数の降下により運転電流が設定された解除電流値Ａ２以下になった場合には、圧縮機４の運転周波数を所定値（たとえば１Ｈｚ）だけあげるようにする。
【産業上の利用可能性】
【００２９】
以上のように、本発明にかかる空気調和器の制御方法によれば、厳寒期の暖房運転時に高い入力電流で運転でき、大きな暖房能力を得ることができるので、家庭用、業務用にかかわらず、インバータ制御される圧縮機を備え、極寒の場所で使用される空気調和機に広
く適用することが可能である。
【図面の簡単な説明】
【００３０】
【図１】本発明の第１の実施の形態を示す空気調和機の制御方法を示す概略ブロック線図
【図２】同空気調和機の動作電流と外気温度の関係を示すグラフ
【図３】同空気調和機のファンモータの回転数設定と熱交換器の温度の関係表を示す図
【図４】同空気調和機の制御方法を説明するフローチャート
【符号の説明】
【００３１】
１    入力電流検出回路
２    外気温度検出回路
３    熱交換器温度検出回路
４    圧縮機
５    ファンモータ
６    制御装置
６Ａ  圧縮機制御部
６Ｂ  ファンモータ制御部
【図１】
2005061736.tif 000003
【図２】
2005061736.tif 000004
【図３】
2005061736.tif 000005
【図４】
2005061736.tif 000006